(57)【特許請求の範囲】
【請求項１】
両端に開口を有する、回転自在に支持した攪拌・充填ドラムと、
前記攪拌・充填ドラムの一方領域の内周面に配設し、前記攪拌・充填ドラムの軸方向に対して５°〜１５°傾斜させた、薄肉平面板よりなる複数の排出用羽根部材と、
前記攪拌・充填ドラムの他方領域の内周面に配設し、前記攪拌・充填ドラムの軸方向に対して１０５°〜１６５°傾斜させた、薄肉曲面板よりなる一群の攪拌用羽根部材と、
前記攪拌・充填ドラムの他方領域の内周面に配設し、前記攪拌・充填ドラムの軸方向に対して１５°〜７５°傾斜させた、薄肉曲面板よりなる他群の攪拌用羽根部材と、
中間部を前記攪拌・充填ドラムの内部に位置させ、前記攪拌・充填ドラムの両端開口より外部に延出した、育苗用トレーを移送する搬送コンベアと、
前記攪拌・充填ドラムの内部又は一端開口近傍に配設した回転ブラシと、
から構成される攪拌・土詰装置。
【請求項２】
前記攪拌用羽根部材として、切欠部を形成した薄肉曲面板よりなる攪拌用羽根部材と、切欠部を形成しない薄肉曲面板よりなる攪拌用羽根部材の２種類のものを設けたことを特徴とする請求項１記載の攪拌・土詰装置。
【請求項３】
前記搬送コンベアは、所定間隔で配置した多数の搬送棒材を無端ワイヤーにより連結し、これら搬送棒材を移動するようにしたものであることを特徴とする請求項１又は２記載の攪拌・土詰装置。
【請求項４】
前記攪拌・充填ドラムの周面部に投入口を形成し、この投入口を開放又は閉鎖する投入扉を設けたことを特徴とする請求項１乃至３何れか１項に記載の攪拌・土詰装置。
【発明の詳細な説明】
【０００１】
【発明の属する技術分野】
本発明は、培養土を攪拌するとともに、育苗用トレーに培養土を充填する攪拌・土詰装置に関するものである。
【０００２】
【従来の技術】
育苗用トレー１０１に培養土を充填して播種する作業は、一般に、図１１に示すような装置によって実施される。
すなわち、育苗用トレー１０１を搬送コンベア１０２上に載置して移送する間に、先ず、攪拌装置１０３により攪拌した培養土を土詰装置１０４により落下して育苗用トレー１０１に供給した後、回転ブラシ１０５により育苗用トレー１０１上面を擦過して余分な培養土を除去し、次に、充填された培養土を転圧ローラー１０６により適度に固め、播種装置１０７により培養土表面に種を播き、散水装置１０８により水を供給した後、トレー台車１０９に収納する。
【０００３】
ここで、攪拌装置１０３は、攪拌槽内に配置したスクリューオーガー又は鎌状攪拌羽根を回転することにより培養土を旋回させつつ移動させて攪拌するものである。一方、土詰装置１０４は、育苗用トレー１０１に供給ホッパーより培養土を落下させて充填し、回転ブラシにより育苗用トレー１０１から余分な培養土を除去するものである。
【０００４】
【発明が解決しようとする課題】
上記の如く、従来は、培養土を攪拌し、育苗用トレーに培養土を充填するのに攪拌装置及び土詰装置を使用するから、装置を設置するのに広い場所を必要とした。又、攪拌装置及び土詰装置は複雑な構造であるから、装置の価格も高価にならざるを得ず、充填及び播種した育苗用トレーの生産コストも高価にならざるを得なかった。
又、スクリューオーガーによる攪拌装置では、スクリューオーガーにより大きな圧縮力が負荷されるため、培養土粒子が凝集して塊状になり易く、鎌状攪拌羽根による攪拌装置では、鎌状攪拌羽根が薄肉状かつ先鋭状であるため、培養土粒子が裁断されて微細になり易く、水捌けが悪くなるとともに空気の流通も悪くなるという問題があった。
【０００５】
本発明は、かかる従来の問題点に鑑みて為されたものであり、その目的とするところは、培養土を攪拌、充填する装置の設置にそれ程広い場所を必要とせず、しかも装置の価格を大幅に安価として、充填及び播種した育苗用トレーの生産コストも安価にできるとともに、保水性及び空気流通性が良好な粒径に維持しつつ培養土を攪拌することができる攪拌・土詰装置を提供することにある。
【０００６】
【課題を解決するための手段】
上記課題を解決するため、本発明の攪拌・土詰装置は、両端に開口を有する、回転自在に支持した攪拌・充填ドラムと、前記攪拌・充填ドラムの一方領域の内周面に配設し、前記攪拌・充填ドラムの軸方向に対して５°〜１５°傾斜させた、薄肉平面板よりなる複数の排出用羽根部材と、前記攪拌・充填ドラムの他方領域の内周面に配設し、前記攪拌・充填ドラムの軸方向に対して１０５°〜１６５°傾斜させた、薄肉曲面板よりなる一群の攪拌用羽根部材と、前記攪拌・充填ドラムの他方領域の内周面に配設し、前記攪拌・充填ドラムの軸方向に対して１５°〜７５°傾斜させた、薄肉曲面板よりなる他群の攪拌用羽根部材と、中間部を前記攪拌・充填ドラムの内部に位置させ、前記攪拌・充填ドラムの両端開口より外部に延出した、育苗用トレーを移送する搬送コンベアと、前記攪拌・充填ドラムの内部又は一端開口近傍に配設した回転ブラシと、から構成されるものである。
【０００７】
前記攪拌用羽根部材として、切欠部を形成した薄肉曲面板よりなる攪拌用羽根部材と、切欠部を形成しない薄肉曲面板よりなる攪拌用羽根部材の２種類のものを設けるのが好ましい。
【０００８】
又、前記搬送コンベアは、所定間隔で配置した多数の搬送棒材を無端ワイヤーにより連結し、これら搬送棒材を移動するようにしたものであるのが好ましい。
【０００９】
さらに、前記攪拌・充填ドラムの周面部に投入口を形成し、この投入口を開放又は閉鎖する投入扉を設けてもよい。
【００１０】
【発明の実施の形態】
本発明の攪拌・土詰装置の一実施形態について、図面を参照して説明する。
攪拌・土詰装置１は、図１及び図２に示すように、基台２、攪拌・充填ドラム３、搬送コンベア４及び回転ブラシ５より構成される。
【００１１】
攪拌・充填ドラム３は、図１乃至図９に示すように、円筒状部３ａの両端に開口を有する円錐状部３ｂ，３ｂを接続してなるものであり、円筒状部３ａの外周面に周方向に沿って案内鍔６，６，…を固着してある。
そして、図１及び図５に示すように、円筒状部３ａの案内鍔６，６間の外周面に支持円板７，７の周面を当接し、この支持円板７，７を基台２に固定した支持部材８，８に軸支することによって、攪拌・充填ドラム３を回転自在に支持してある。
【００１２】
又、円筒状部３ａの外周面には周方向に沿ってピン植設ベルト９を固着してあり、ピン植設ベルト９には適宜間隔でピン９ａを植設してある。
一方、基台２には支持台１０を介して駆動モーター１１を固定してあり、この駆動モーター１１の軸１１ａにモーター軸スプロケット１２を固定し、モーター軸スプロケット１２と前記ピン植設ベルト９のピン９ａとにチェーン１３を掛け渡して、攪拌・充填ドラム３を回転するようにしてある。
【００１３】
円筒状部３ａの内周面には、図３乃至図６及び図９に示すように、円筒状部３ａの左端から軸方向約１／３の距離までの領域に排出用羽根部材１４を、それ以外の領域に攪拌用羽根部材１５，１６を配設してある。
【００１４】
排出用羽根部材１４は薄肉平面板であり、図３乃至図５及び図９に示すように、円筒状部３ａの軸方向に対して角度α傾斜させ、径方向に対して角度β傾斜させ、周方向に等間隔に固着してある。
ここで、角度αは５°〜１５°程度、角度βは１０°〜３０°程度であるのが好ましい。
【００１５】
攪拌用羽根部材１５は切欠部１５ａを形成した薄肉曲面板であり、図３、図４、図６及び図９に示すように、円筒状部３ａの軸方向に対して角度γ傾斜させ、径方向に平行とし、対向させて固着してある。
ここで、角度γは１０５°〜１６５°程度であるのが好ましい。
【００１６】
攪拌用羽根部材１６は薄肉曲面板であり、図３、図４、図６及び図９に示すように、円筒状部３ａの軸方向に対して角度θ傾斜させ、径方向に平行とし、対向させ、かつ、攪拌用羽根部材１５に対して略直角位置に固着してある。
ここで、角度θは１５°〜７５°程度であるのが好ましい。
【００１７】
又、円筒状部３ａには、図１及び図６に示すように、投入口３ｃを形成してあり、この投入口３ｃを開放又は閉鎖する投入扉１７を設けてある。
投入扉１７は、支持部材１８により下辺を軸として所定角度回動自在となっており、係止部材１９により上辺を円筒状部３ａの外周面に係止できるようになっている。
【００１８】
搬送コンベア４は、図１、図２、図５乃至図８に示すように、基台２に立設した支柱２０，２０，…にコンベアフレーム２１の両端部を固定し、その中間部を攪拌・充填ドラム３内部の略中心軸近傍に位置させ、円錐状部３ｂ，３ｂの開口より外部に延出してある。
【００１９】
コンベアフレーム２１には長さ方向に適宜間隔をおいて駆動軸２２及び遊動軸２３，２３，…を回転自在に支持してあり、駆動軸２２の両端部には駆動軸スプロケット２４、遊動軸２３，２３，…の両端部には遊動軸スプロケット２５，２５，…を固定してある。
そして、所定間隔で配置した多数の搬送棒２６，２６，…を無端ワイヤー２７により連結し、これら搬送棒２６，２６，…を駆動軸スプロケット２４及び遊動軸スプロケット２５，２５，…により駆動及び案内して、図１及び図２に示すように、上側に位置するの搬送棒２６，２６，…は右方に、下側の搬送棒２６，２６，…は左方に移動するようにしてある。
【００２０】
一方、支柱２０には駆動モーター２７を固定してあり、この駆動モーター２７の軸２７ａにモーター軸スプロケット２８を固定し、前記駆動軸２２の一端部に駆動軸スプロケット２９を固定し、モーター軸スプロケット２８と駆動軸スプロケット２９とにチェーン３０を掛け渡して、搬送棒２６，２６，…を移動するようにしてある。
【００２１】
尚、円筒状部３ａの左端から軸方向約１／３の距離までの領域にあるコンベアフレーム２１には、傾斜部３１ａを有するガイドプレート３１を立設してある。
【００２２】
回転ブラシ５は、図１、図２及び図７に示すように、円筒部材３２の周側面に刷毛部材３３を螺旋状に取着したものであり、円筒部材３２には駆動モーター３４を内蔵し、軸を固定した状態で円筒部材３２の周側面が回転するようになっている。
【００２３】
回転ブラシ５の円筒部材３２を回転ブラシカバー３５の一端部に回転自在に支持し、回転ブラシカバー３５の他端部は攪拌・充填ドラム３内に位置するコンベアフレーム２１に立設した回転ブラシカバーフレーム３６に支持軸３７を介して支持してある。
又、回転ブラシカバー３５の上端部に吊下部材３８の下端部を固定し、吊下部材３８の上端部に形成した雌ネジ部３８ａを調整ハンドル３９の雄ネジ部３９ａと螺合させ、雄ネジ部３９ａの上端部を攪拌・充填ドラム３の右側開口近傍のコンベアフレーム２１に立設した回転ブラシフレーム４０に挿通してある。
【００２４】
尚、回転ブラシ５により除去された培養土を攪拌・充填ドラム３内に回収するため、基台２に立設した支柱４１，４１により支持した回収カバー４２を回転ブラシ５の下方に設けてある。
【００２５】
次に、図１０に示す育苗用トレー５１に培養土を充填する場合について、本発明の攪拌・土詰装置１の操作及び作用について説明する。
【００２６】
ここで、育苗用トレー５１は籠部材５２及びカップ配列部材５３よりなり、カップ配列部材５３の上板部５３ａには所定径の充填孔５４を多数穿設し、これら充填孔５４の周辺部にカップ保持部材５５を固着したものである。
そして、カップ保持部材５５に土詰カップ５６の開口を挿入し、カップ配列部材５３を籠部材５２に載置しておく。
【００２７】
先ず、図６に示すように、係止部材１９による係止を解除し、攪拌・充填ドラム３の投入扉１７を前方に所定角度回動して投入口３ｃを開放する。
そして、培養土を投入扉１７の内面に沿って流動させ、攪拌・充填ドラム３内に所定量挿入した後、投入扉１７を後方に回動し、係止部材１９により係止して投入口３ｃを閉鎖する。
【００２８】
次いで、駆動モーター１１を作動させ、攪拌・充填ドラム３を図５に示すＡ方向に回転させる。
【００２９】
この時、円筒状部３ａの右端から軸方向約２／３の距離までの領域にある培養土は攪拌用羽根部材１５，１６により右方に流動しつつ攪拌、混合される。攪拌用羽根部材１５，１６は適宜角度傾斜させた薄肉曲面板であるから、培養土は曲面に沿って流動しつつ攪拌され、大きな圧縮力が負荷されることなく、培養土粒子も微細に裁断されることもない。又、一部の培養土は攪拌用羽根部材１５の切欠部１５ａを通過して左方に流動しつつ攪拌、混合されるから、より一層攪拌効率を高めることができる。
【００３０】
一方、円筒状部３ａの左端から軸方向約１／３の距離までの領域にある培養土は排出用羽根部材１４により右方に流動しつつ上方に搬送されるが、ガイドプレート３１の傾斜部３１ａの高さに到達する前に落下する。
【００３１】
培養土が十分に攪拌・混合されたら、駆動モーター１１を逆回転させ、攪拌・充填ドラム３を図５に示すＢ方向に回転させる。
【００３２】
この時、円筒状部３ａの右端から軸方向約２／３の距離までの領域にある培養土は攪拌用羽根部材１５，１６により左方に流動しつつ攪拌、混合される。又、一部の培養土は攪拌用羽根部材１５の切欠部１５ａを通過して右方に流動しつつ攪拌、混合される。
【００３３】
一方、円筒状部３ａの左端から軸方向約１／３の距離までの領域にある培養土は排出用羽根部材１４により左方に流動しつつ上方に搬送され、ガイドプレート３１の傾斜部３１ａの高さに到達した後に落下する。
従って、培養土は直接又はガイドプレート３１の傾斜部３１ａに沿って搬送棒材２６，２６，…上に落下し、さらに、搬送棒材２６，２６，…の間隙より円筒状部３ａの内周面に落下する。
【００３４】
攪拌・充填ドラム３を図５に示すＢ方向に回転させている時に、駆動モーター２７を作動させ、図１及び図２に示すように、上側に位置する搬送棒２６，２６，…を右方に移動させる。
【００３５】
ここで、図１及び図２に示すように、搬送コンベア４左端部の搬送棒２６，２６，…上に前記育苗用トレー５１を載置すれば、育苗用トレー５１は搬送棒２６，２６，…とともに右方に移動する。
そして、円筒状部３ａの左端から軸方向約１／３の距離までの領域に位置している時に、培養土が直接又はガイドプレート３１の傾斜部３１ａに沿って落下してくるので、カップ配列部材５３の充填孔５４を通過して培養土が土詰カップ５６内に充填される。
【００３６】
育苗用トレー５１が回転ブラシ５の配設位置に到達すると、回転ブラシ５の刷毛部材３３によりカップ配列部材５３上に積層した余分な培養土が除去される。そして、育苗用トレー５１はさらに右方に移動し、図１及び図２に示すように、搬送コンベア４右端部に到達する。
【００３７】
【発明の効果】
本発明の攪拌・土詰装置は、排出用羽根部材及び攪拌用羽根部材を内部に配設した攪拌・充填ドラム、搬送コンベア及び回転ブラシより構成したものであり、従来の攪拌装置又は土詰装置と略同大の一装置によって攪拌及び土詰動作を行なうものであるから、装置を設置するのに広い場所を必要とせず、構造も極めて簡単であるから、装置の価格も安価となって、充填及び播種した育苗用トレーの生産コストも安価となる。
【００３８】
又、攪拌用羽根部材を内部に配設した攪拌・充填ドラムによれば、大きな圧縮力が負荷されることなく、培養土粒子も微細に裁断されることもないから、保水性及び空気流通性が良好な適度な粒径に維持しつつ培養土を効率的に攪拌することができる。
【図面の簡単な説明】
【図１】本発明の攪拌・土詰装置の正面図である。
【図２】搬送コンベアの平面図である。
【図３】攪拌・充填ドラムの横断面図である。
【図４】攪拌・充填ドラムの縦断面図である。
【図５】図１のＶ−Ｖ線断面図である。
【図６】図１のVI−VI線断面図である。
【図７】図１のVII−VII線断面図である。
【図８】図１のVIII−VIII線断面図である。
【図９】攪拌・充填ドラムの透視斜視図である。
【図１０】育苗用トレーの分解斜視図である。
【図１１】育苗用トレーに培養土を充填、播種する作業工程における装置構成図である。
【符号の説明】
１  攪拌・土詰装置
３  攪拌・充填ドラム
３ｃ  投入口
４  搬送コンベア
５  回転ブラシ
14  排出用羽根部材
15  攪拌用羽根部材
15ａ  切欠部
16  攪拌用羽根部材
17  投入扉
26  搬送棒
27  無端ワイヤー
【図１】
0003759540.tif 000002
【図２】
0003759540.tif 000003
【図３】
0003759540.tif 000004
【図４】
0003759540.tif 000005
【図５】
0003759540.tif 000006
【図６】
0003759540.tif 000007
【図７】
0003759540.tif 000008
【図８】
0003759540.tif 000009
【図９】
0003759540.tif 000010
【図１０】
0003759540.tif 000011
【図１１】
0003759540.tif 000012